(57)【要約】      （修正有）【課題】設備費及び工数の削減によるコストダウンを図る。【解決手段】ターンテーブル及び光ピックアップを内部に配置したローダーシャーシに可動枠８が回動可能に枢支され、可動枠８上のディスク位置決め片付きスライド枠に連動連結した連結レバー１４にロック孔１７が貫設されると共に、ロック孔１７に一対のロック溝１７ａ，１７ｂが形成され、そのいずれか一方のロック溝１７ａ（または１７ｂ）に嵌入するロックピン２２を一端に突設したロックレバー２０がローダーシャーシに回動可能に配置されたディスク装置において、ロックピン２２が、円柱状ピン本体５９と、ピン本体５９の基端面に同心状に一体突設したタップタイト６０とを有し、ピン本体５９の先端面に操作凹部６１が形成されており、操作凹部６１に係合する工具を操作してタップタイト６０をロックレバー２０の一端の支持孔５０にねじ込む。【選択図】図１
2012221530.tif 000002
【特許請求の範囲】
【請求項１】
ターンテーブル及び光ピックアップを内部に配置したローダーシャーシに可動枠が回動
可能に枢支され、該可動枠にディスク位置決め片付きスライド枠がスロットイン方向に沿
って前段位置と後段位置との間でスライド可能に取り付けられ、そのスライド枠に連動連
結した連結レバーにロック孔が貫設されると共に、該ロック孔に一対のロック溝が形成さ
れ、そのいずれか一方のロック溝に嵌入するロックピンを一端に突設したロックレバーが
ローダーシャーシに回動可能に配置されており、ロックピンを一方のロック溝に嵌入させ
た状態で、小形ディスクをローダーシャーシ内にスロットインすると、該小形ディスクが
ディスク位置決め片に当たるまで送り込まれて前段位置でターンテーブルと同心状に位置
決めされ、大形ディスクをローダーシャーシ内にスロットインすると、それに連動してロ
ックレバーが回動されてロックピンが一方のロック溝から離脱され、大形ディスクにより
ディスク位置決め片を後段位置までスライドさせて該大形ディスクがターンテーブルと同
心状に位置決めされるようにしたディスク装置において、前記ロックピンが、円柱状ピン
本体と、該ピン本体の基端面に同心状に一体突設したタップタイトとを有し、ピン本体の
先端面に操作凹部が形成されており、該操作凹部に係合する工具を操作してタップタイト
をロックレバーの一端の支持孔にねじ込むようにしたことを特徴とするディスク装置。
【請求項２】
ターンテーブル及び光ピックアップを内部に配置したローダーシャーシに可動枠が回動
可能に枢支され、ターンテーブルに対向してクランパが可動枠に一定範囲内移動可能に取
り付けられ、その可動枠にディスク位置決め片付きスライド枠がスロットイン方向に沿っ
て前段位置と後段位置との間でスライド可能に取り付けられ、ローダーシャーシ内の一側
縁に沿ってスライドカムがスライド可能に配置され、該スライドカムに貫設したカム溝と
、可動枠の一側縁に突設されてカム溝に嵌入するカムピンとからなるカム機構が設けられ
ており、そのカム機構により可動枠を介してクランパが持ち上げられた状態で、ディスク
をローダーシャーシ内にスロットインさせ、該ディスクが位置決め片によりターンテーブ
ルと同心状に位置決めされ、スライドカムをスライドさせることによりカム機構を介して
可動枠が回動されてクランパとターンテーブルとでディスクをクランプするようにしたデ
ィスク装置において、前記カムピンが、円柱状ピン本体と、該ピン本体の基端面に同心状
に一体突設したタップタイトとを有し、ピン本体の先端面に操作凹部が形成されており、
該操作凹部に係合する工具を操作してタップタイトを可動枠の一側縁の支持孔にねじ込む
ようにしたことを特徴とするディスク装置。
【請求項３】
ターンテーブル及び光ピックアップを内部に配置したローダーシャーシに可動枠が回動
可能に枢支され、ターンテーブルに対向してクランパが可動枠に一定範囲内移動可能に取
り付けられ、ローダーシャーシ内の一側縁に沿ってスライドカムがスライド可能に配置さ
れ、該スライドカムと可動枠とがカム機構を介して連動連結され、ローダーシャーシ内の
ディスク挿入口に接近して揺動フラップが揺動可能に設けられ、該揺動フラップに軸受を
介してガイドローラが回転可能に配置され、前記軸受から延びる回り止めアームの先端フ
ック部が揺動フラップの側板のフック孔に嵌入され、スライドカムに対向して揺動フラッ
プの側板に係合ピンが一体突設されており、ディスク挿入口内にスロットインしたディス
クがガイドローラの回転により送り込まれてターンテーブルと同心状に位置決めされ、ス
ライドカムをスライドさせることによりカム機構を介して可動枠が回動されてクランパと
ターンテーブルとでディスクをクランプし、そのスライドしたスライドカムを係合ピンに
係合させることにより、揺動フラップを揺動させてガイドローラをディスクから離間させ
るようにしたディスク装置において、前記係合ピンが、円柱状ピン本体と、該ピン本体の
基端面に同心状に一体突設したタップタイトとを有し、ピン本体の先端面に操作凹部が形
成されており、該操作凹部に係合する工具を操作してタップタイトを揺動フラップの側板
の支持孔にねじ込むようにしたことを特徴とするディスク装置。
【発明の詳細な説明】
【技術分野】
【０００１】
本発明は、例えばＤｉｓｃスロットイン機構方式のＢｌｕ−ｒａｙ  Ｄｉｓｃ式ディス
ク装置（レコーダまたはプレーヤ）に関し、特に、設備費及び工数の削減によるコストダ
ウンを図るようにしたものである。
【背景技術】
【０００２】
図７〜図９はＤｉｓｃスロットイン機構方式のＢｌｕ−ｒａｙ  Ｄｉｓｃ式ディスク装
置を示すものであって、図７は直径８ｃｍの小形ディスクＤａ（及び１２ｃｍの大形ディ
スクＤｂ）のスロットイン状態を示すディスク装置の平面図、図８（ａ）は同中央縦断面
図、図８（ｂ）は同側部縦断面図、図９（ａ）は同クランプ状態の中央縦断面図、図９（
ｂ）は同状態の側部縦断面図である。
【０００３】
図７及び図８において、前記ディスク装置は、ボトムシャーシ１Ａと、該ボトムシャー
シ１Ａに被せた蓋板１Ｂとからなるローダーシャーシ１を有し、該ローダーシャーシ１の
前面にディスクＤａ，Ｄｂをスロットインａ及びスロットアウトｂするためのディスク挿
入口２が形成され、ボトムシャーシ１Ａにターンテーブル３付きスピンドルモータ４とガ
イド軸５に沿って移動可能な光ピックアップ６とが配置され、蓋板１Ｂの中央開口部１ａ
内に配置されて該蓋板１Ｂに枢支軸７を中心に矢印ｃ，ｄ方向に回動可能に枢支された可
動枠８が設けられ、ターンテーブル３に対向してクランパ９が可動枠８に一定範囲内移動
可能に取り付けられ、該可動枠８を矢印ｃ方向に引っ張るばね１０が設けられている。
【０００４】
前記可動枠８に長孔１１がスロットインａ方向に沿って貫設され、その可動枠８の裏面
側で長孔１１にスライド可能に係合するスライド枠１２が設けられ、該スライド枠１２に
ディスク位置決め片１２ａが一体突設されている。
【０００５】
前記可動枠８の表面側に連結レバー１４が支軸１５を中心にｅ，ｆ方向に回動可能に配
置され、該連結レバー１４の一端に貫設した長孔状連結孔１６をスライド枠１２に一体突
設した連結片１２ｂに回動可能に嵌合させることにより、連結レバー１４とスライド枠１
２とが連動連結されている。
【０００６】
前記連結レバー１４の他端に支軸１５を中心にして円弧状ロック孔１７が貫設され、該
ロック孔１７の外周側縁の両端に一対のロック溝１７ａ，１７ｂが凹設され、連結レバー
１４を矢印ｆ方向に引っ張るばね１８が設けられている。
【０００７】
前記蓋板１Ｂの表面側にロックレバー２０が支軸２１を中心に矢印ｇ，ｈ方向に回動可
能に配置され、該ロックレバー２０の一端に突設したロックピン２２がロック孔１７から
いずれか一方のロック溝１７ａ（または１７ｂ）に嵌入され、そのロックレバー２０の他
端に突設したロック解除ピン２３が蓋板１Ｂの貫通孔２４を通ってディスク挿入口２内に
挿通され、ロックレバー２０を矢印ｈ方向に引っ張るばね２５が設けられている。
【０００８】
図７及び図８（ｂ）に示すように、前記ローダーシャーシ１内の一側縁に沿ってスライ
ドカム２７が矢印ａ，ｂ方向にスライド可能に配置され、該スライドカム２７の基端側に
貫設したカム溝２８ａと、可動枠８の一側縁に突設されてカム溝２８ａに嵌入するカムピ
ン２８ｂとからなるカム機構２８が設けられている。
【０００９】
図８（ｂ）に示すように、スライドカム２７の先端側に貫設した長孔３０の内側縁にカ
ムラック３１が形成され、該カムラック３１に噛合して駆動モータ（図示せず）により正
逆駆動される駆動ピニオン３２が設けられている。
【００１０】
図７及び図８に示すように、前記ディスク挿入口２に接近して蓋板１Ｂの裏面にガイド
板３４が配置されると共に、該ガイド板３４に対向してボトムシャーシ１Ａ側に揺動フラ
ップ３５が設けられており、該揺動フラップ３５は、板金からなり、矢印ａ，ｂ方向とは
直交する方向に延びて枢支軸３６を中心に矢印ｉ，ｊ方向に揺動可能なフラップ本体３５
ａを有し、該フラップ本体３５ａの基端側にガイドローラ３７が回転可能に配置され、該
ガイドローラ３７をガイド板３４に向けて矢印ｉ方向に付勢するばね３８が設けられ、ガ
イドローラ３７の一端に従動歯車３９が固着されており、図８（ａ）（ｂ）に示すように
、ばね３８によりフラップ本体３５ａの基端側を押し上げてガイドローラ３７を持ち上げ
たときに従動歯車３９が駆動歯車４０（図７参照）に噛合される。
【００１１】
図７〜図９に示すように、フラップ本体３５ａの一側縁から折り曲げた側板３５ｂに係
合ピン４２が一体突設され、該係合ピン４２に対向して前記スライドカム２７の先端縁角
部の切除して傾斜面４３が形成されており、該スライドカム２７を矢印ｂ方向にスライド
させて傾斜面４３で係合ピン４２をばね３８に抗して押し下げることにより、揺動フラッ
プ３５が矢印ｊ方向に押し下げられ、フラップ本体３５ａの先端縁に一体突設したガード
板３５ｃによりディスク挿入口２が塞がれる〔図９（ａ）参照〕。
【００１２】
図７及び図８は小形ディスクＤａのスロットインａ状態を示すものであって、カム機構
２８により可動枠８が枢支軸７回りで矢印ｃ方向に回動され、クランパ９が持ち上げられ
ている。また、揺動フラップ３５がばね３８により矢印ｉ方向に回動されており、ガイド
ローラ３７がガイド板３４に接近または当接され、該ガイドローラ３７の従動歯車３９が
駆動歯車４０に噛合されている。
【００１３】
更に、ばね１８により連結レバー１４が矢印ｆ方向に引っ張られてロックピン２２が一
方のロック溝１７ａに嵌入され、スライド枠１２がターンテーブル３に接近した前段位置
Ａでロックされている。
【００１４】
この状態で、小形ディスクＤａをディスク挿入口２内にスロットインａすると、該小形
ディスクＤａがガイドローラ３７とガイド板３４とで挟まれ、その小形ディスクＤａを検
知する検知信号に基づいて駆動モータ（図示せず）を駆動することにより、駆動歯車４０
及び従動歯車３９を介してガイドローラ３７が正転され、小形ディスクＤａがディスク位
置決め片１２ａに当たるまで送り込まれて前段位置Ａでターンテーブル３と同心状に位置
決めされる。
【００１５】
続いて、図９に示すように、小形ディスクＤａが前段位置Ａに達したことを検知する検
知信号に基づいて駆動モータ（図示せず）を駆動することにより駆動ピニオン３２及びカ
ムラック３１を介してスライドカム２７を矢印ｂ方向にスライドさせ、該スライドカム２
７の傾斜面４３により係合ピン４２を押し下げ、該係合ピン４２がスライドカム２７の下
縁に当接されることにより、揺動フラップ３５がばね３８に抗して矢印ｊ方向に回動され
、ガイドローラ３７が小形ディスクＤａから離間され，従動歯車３９が駆動歯車４０から
離間される。
【００１６】
スライドカム２７を矢印ｂ方向にスライドさせることにより、カム機構２８を介して可
動枠８が矢印ｄ方向に回動されることにより、クランパ９とターンテーブル３とで小形デ
ィスクＤａがクランプされ〔図９（ａ）参照〕、その小形ディスクＤａからディスク位置
決め片１２ａがわずかな間隔をおいて離間される。その後、スピンドルモータ４によりタ
ーンテーブル３を介して小形ディスクＤａが高速回転され、光ピックアップ６によりその
小形ディスクＤａに記録されている情報を読み取る。
【００１７】
小形ディスクＤａをスロットアウトｂする場合は、上記とはほぼ逆の手順で行われるの
で、その説明を省略する。
【００１８】
図７に二点鎖線で示すように、大形ディスクＤｂをディスク挿入口２内にスロットイン
ａすると、その大形ディスクＤｂの外周縁がロック解除ピン２３に押し付けられてロック
レバー２０を矢印ｇ方向に回動させ、ロックピン２２が一方のロック溝１７ａから離脱さ
れ、スライド枠１２のロックが解除される。続いて、スロットインａした大形ディスクＤ
ｂによりディスク位置決め片１２ａが押されてスライド枠１２が前段位置Ａから後段位置
Ｂまでスライドされ、それに連動して連結レバー１４が矢印ｅ方向に回動され、ロックピ
ン２２が他方のロック溝１７ｂに嵌入され、スライド枠１２が後段位置Ｂでロックされ、
ディスク位置決め片１２ａにより大形ディスクＤｂがターンテーブル３と同心状態に位置
決めされる。以後は、小形ディスクＤａの場合と同様の手順で、大形ディスクＤｂがクラ
ンプされ、光ピックアップ６によりその大形ディスクＤｂに記録されている情報を読み取
る。
【００１９】
従来、図１０〜図１２に示すロックレバー２０の一端に突設したロックピン２２及びカ
ム機構２８のカムピン２８ｂや、図１３に示す揺動フラップ３５に一体突設した係合ピン
４２は、円柱状ピン本体５３と、該ピン本体５３の基端面に同心状に一体突設したそのピ
ン本体５３よりも小径の円柱状突起部５４と、前記ピン本体５３の基端部外周面に一体形
成した該ピン本体５３よりも大径の鍔部５５とからなっている。
【００２０】
図１０（ａ）（ｂ）及び図１１に示すように、ロックピン２２に対向してロックレバー
２０の一端のピン取付箇所をプレス成形して円形支持台４９が形成され、該支持台４９の
支持面４９ａがロックレバー２０の外周面よりもわずかに突出され、その支持台４９の中
央に突起部５４の外径ｒ１よりも若干大きい内径ｒ２（ｒ１＜ｒ２）の円形支持孔５０が
貫設されており、該支持孔５０にロックピン２２の突起部５４をカシメて固着している。
【００２１】
図１０（ａ）（ｂ）及び図１２に示すように、カムピン２８ｂに対向して可動枠８の一
側縁から折り曲げた側板８ａに突起部５４の外径ｒ１よりも若干大きい内径ｒ２（ｒ１＜
ｒ２）の円形支持孔５０が貫設されており、その支持孔５０にカムピン２８ｂの突起部５
４をカシメて固着している。
【００２２】
図１３及び図１４に示すように、係合ピン４２に対向してフラップ本体３５ａの一側縁
から折り曲げた側板３５ｂに突起部５４の外径ｒ１よりも若干大きい内径ｒ２（ｒ１＜ｒ
２）の円形支持孔５０が貫設されており、その支持孔５０に係合ピン４２の突起部５４を
カシメて固着している。
【００２３】
ロックピン２２（及びカムピン２８ｂ、係合ピン４２）の取付手順を説明すると、図１
５（ａ）に示すように、突起部５４を支持孔５０に挿入し、図１５（ｂ）に示すように、
カシメ機で加圧Ｐすることにより、突起部５４をカシメて支持孔５０に固着し、ピン本体
５３の軸心Ｏが支持台４９（及び側板８ａ、側板３５ｂ）に対して垂直状態になるように
起立させる。なお、関連する技術として特許文献１に記載したものがある。
【先行技術文献】
【特許文献】
【００２４】
【特許文献１】特開２００９−５４２０８号公報
【発明の概要】
【発明が解決しようとする課題】
【００２５】
上記従来の構成では、図１５（ｂ）に示すように、カシメ機による加圧Ｐを正確に行う
必要があるが、支持孔５０の内径ｒ２が突起部４６の外径ｒ１よりも若干大径（ｒ１＜ｒ
２）であることから、その加圧Ｐの際に、ピン本体５３が傾くことがあり、その傾きによ
って、支持孔５０の軸心Ｏａからピン本体５３の軸心Ｏがわずかの角度α分ずれるおそれ
があり、これではロックレバー２０（及びカム機構２８、揺動フラップ３５）の動作を円
滑に行うことができなくなる。
【００２６】
上記のようにピン本体５３が傾いたままカシメられた場合には、ロックピン２２とロッ
クレバー２０（及びカムピン２８ｂと可動枠８、係合ピン４２と揺動フラップ３５）を廃
棄するしかなく、再使用は不可能であるから、コストアップになる。
【００２７】
図１１に仮想線で示すように、ロックレバー２０の一端がわずかに下がって（間隔ｍ）
、ロックピン２２の鍔部５５がロック孔１７内に入り込んだ場合、該ロックピン２２がロ
ック溝１７ａ，１７ｂに嵌入されないから、連結レバー１４をロックすることができなく
なる。
【００２８】
図１２に示すように、カムピン２８ｂの鍔部５５が可動枠８とスライドカム２７との間
に介在されており、その鍔部５５の厚みｔ分だけ可動枠８とスライドカム２７との間の間
隔ｈを広くとっているから、ディスク装置の小型化の要請に反することになる。
【００２９】
図１３及び図１４に示すように、ガイドローラ３７の両端を支持する合成樹脂製軸受５
６を揺動フラップ３５の係止片３５ｄに係止し、該各軸受５６から延びる回り止めアーム
５６ａを弾性変位させて、該回り止めアーム５６ａの先端フック部５６ｂを側板３５ｂの
フック孔５７に嵌入させることにより、その軸受５６を介してガイドローラ３７を揺動フ
ラップ３５に取り付けているが、支持孔５０にカシメた係合ピン４２の鍔部５５が障害物
になって、先端フック部５６ｂの嵌入作業を行い難い。
【００３０】
本発明は、上記従来の欠点に鑑み、設備費及び工数の削減によるコストダウンを図るよ
うにしたディスク装置を提供することを目的としている。
【課題を解決するための手段】
【００３１】
上記目的を達成するため、請求項１に記載の発明は、ターンテーブル及び光ピックアッ
プを内部に配置したローダーシャーシに可動枠が回動可能に枢支され、該可動枠にディス
ク位置決め片付きスライド枠がスロットイン方向に沿って前段位置と後段位置との間でス
ライド可能に取り付けられ、そのスライド枠に連動連結した連結レバーにロック孔が貫設
されると共に、該ロック孔に一対のロック溝が形成され、そのいずれか一方のロック溝に
嵌入するロックピンを一端に突設したロックレバーがローダーシャーシに回動可能に配置
されており、ロックピンを一方のロック溝に嵌入させた状態で、小形ディスクをローダー
シャーシ内にスロットインすると、該小形ディスクがディスク位置決め片に当たるまで送
り込まれて前段位置でターンテーブルと同心状に位置決めされ、大形ディスクをローダー
シャーシ内にスロットインすると、それに連動してロックレバーが回動されてロックピン
が一方のロック溝から離脱され、大形ディスクによりディスク位置決め片を後段位置まで
スライドさせて該大形ディスクがターンテーブルと同心状に位置決めされるようにしたデ
ィスク装置において、前記ロックピンが、円柱状ピン本体と、該ピン本体の基端面に同心
状に一体突設したタップタイトとを有し、ピン本体の先端面に操作凹部が形成されており
、該操作凹部に係合する工具を操作してタップタイトをロックレバーの一端の支持孔にね
じ込むようにしたことを特徴としている。
【００３２】
請求項２に記載の発明は、ターンテーブル及び光ピックアップを内部に配置したローダ
ーシャーシに可動枠が回動可能に枢支され、ターンテーブルに対向してクランパが可動枠
に一定範囲内移動可能に取り付けられ、その可動枠にディスク位置決め片付きスライド枠
がスロットイン方向に沿って前段位置と後段位置との間でスライド可能に取り付けられ、
ローダーシャーシ内の一側縁に沿ってスライドカムがスライド可能に配置され、該スライ
ドカムに貫設したカム溝と、可動枠の一側縁に突設されてカム溝に嵌入するカムピンとか
らなるカム機構が設けられており、そのカム機構により可動枠を介してクランパが持ち上
げられた状態で、ディスクをローダーシャーシ内にスロットインさせ、該ディスクが位置
決め片によりターンテーブルと同心状に位置決めされ、スライドカムをスライドさせるこ
とによりカム機構を介して可動枠が回動されてクランパとターンテーブルとでディスクを
クランプするようにしたディスク装置において、前記カムピンが、円柱状ピン本体と、該
ピン本体の基端面に同心状に一体突設したタップタイトとを有し、ピン本体の先端面に操
作凹部が形成されており、該操作凹部に係合する工具を操作してタップタイトを可動枠の
一側縁の支持孔にねじ込むようにしたことを特徴としている。
【００３３】
請求項３に記載の発明は、ターンテーブル及び光ピックアップを内部に配置したローダ
ーシャーシに可動枠が回動可能に枢支され、ターンテーブルに対向してクランパが可動枠
に一定範囲内移動可能に取り付けられ、ローダーシャーシ内の一側縁に沿ってスライドカ
ムがスライド可能に配置され、該スライドカムと可動枠とがカム機構を介して連動連結さ
れ、ローダーシャーシ内のディスク挿入口に接近して揺動フラップが揺動可能に設けられ
、該揺動フラップに軸受を介してガイドローラが回転可能に配置され、前記軸受から延び
る回り止めアームの先端フック部が揺動フラップの側板のフック孔に嵌入され、スライド
カムに対向して揺動フラップの側板に係合ピンが一体突設されており、ディスク挿入口内
にスロットインしたディスクがガイドローラの回転により送り込まれてターンテーブルと
同心状に位置決めされ、スライドカムをスライドさせることによりカム機構を介して可動
枠が回動されてクランパとターンテーブルとでディスクをクランプし、そのスライドした
スライドカムを係合ピンに係合させることにより、揺動フラップを揺動させてガイドロー
ラをディスクから離間させるようにしたディスク装置において、前記係合ピンが、円柱状
ピン本体と、該ピン本体の基端面に同心状に一体突設したタップタイトとを有し、ピン本
体の先端面に操作凹部が形成されており、該操作凹部に係合する工具を操作してタップタ
イトを揺動フラップの側板の支持孔にねじ込むようにしたことを特徴としている。
【発明の効果】
【００３４】
請求項１に記載の発明によれば、ピン本体の操作凹部に係合する工具を操作してタップ
タイトをロックレバーの一端の支持孔にねじ込むだけで、ロックピンをロックレバーの一
端に固着することができると共に、前記工具の操作手段として安価な電動ドライバーを利
用でき、高価なカシメ機が不要であり、工程数も少ないから、コストダウンを図ることが
できる。
【００３５】
また、ロックピンのタップタイトをロックレバーの支持孔にねじ込んだときに、該ロッ
クピンが傾いた場合には、そのねじ込みを解除し、再度、タップタイトのねじ込みを行う
ことにより、その傾きを解消してロックピンを所定通りに起立させることができ、そのロ
ックピン及びロックレバーを従来のように廃棄することなく再使用することができ、この
点でもコストダウンを図ることができる。
【００３６】
更に、ロックピンに従来の鍔部（図１１参照）に相当するものが無いから、ロックレバ
ー２０の一端が下がっても、従来のように鍔部が障害物となってロックピンをロック溝に
嵌入させることができなくなる事態を生じさせることがなく、そのロックピンをロック溝
に確実に嵌入させて、連結レバーをロックすることができる。
【００３７】
請求項２に記載の発明によれば、請求項１に記載の発明と同様に、カムピンの取付用工
具の操作手段として安価な電動ドライバーを利用でき、高価なカシメ機が不要であり、工
程数も少ないから、コストダウンを図ることができると共に、カムピン及び可動枠を従来
のように廃棄することなく再使用することができ、この点でもコストダウンを図ることが
できる。
【００３８】
特に、カムピンに従来の鍔部（図１２参照）に相当するものが無いから、可動枠とスラ
イドカムとの間の間隔を従来に比べて小さくして、ディスク装置の小型化の要請に応じる
ことができる。
【００３９】
請求項３に記載の発明によれば、請求項１に記載の発明と同様に、係合ピンの取付用工
具の操作手段として安価な電動ドライバーを利用でき、高価なカシメ機が不要であり、工
程数も少ないから、コストダウンを図ることができると共に、係合ピンと揺動フラップを
従来のように廃棄することなく再使用することができ、この点でもコストダウンを図るこ
とができる。
【００４０】
特に、係合ピンに従来の鍔部（図１４参照）に相当するものが無いから、ガイドローラ
の両端を支持する軸受から延びる回り止めアームの先端フック部を揺動フラップの側板の
フック孔に嵌入させる際に、その嵌入作業を容易に行うことができる。
【図面の簡単な説明】
【００４１】
【図１】（ａ）は本発明の実施の一形態であるディスク装置の要部の分解斜視図、（ｂ）は同要部の他の分解斜視図である。
【図２】（ａ）はロックピン付近の拡大縦断面図、（ｂ）はＡ−Ａ矢視図である。
【図３】（ａ）〜（ｃ）は同取付手順を示す説明図である。
【図４】（ａ）はカムピン付近の拡大縦断面図、（ｂ）はＢ−Ｂ矢視図である。
【図５】（ａ）は係合ピン付近の分解斜視図、（ｂ）は同要部の他の分解斜視図である。
【図６】同要部の一部切欠き拡大平面図である。
【図７】スロットイン状態を示すディスク装置の平面図である。
【図８】（ａ）は同中央縦断面図、（ｂ）は同側部縦断面図である。
【図９】（ａ）は同クランプ状態の中央縦断面図、（ｂ）は同状態の側部縦断面図である。
【図１０】（ａ）は従来のロックピン付近の分解斜視図、（ｂ）は同要部の他の分解斜視図である。
【図１１】従来のロックピン付近の拡大縦断面図である。
【図１２】従来のカムピン付近の拡大縦断面図である。
【図１３】（ａ）は従来の係合ピン付近の分解斜視図、（ｂ）は同他の要部の拡大分解斜視図である。
【図１４】従来の係合ピン付近の要部の拡大縦断面図である。
【図１５】（ａ）（ｂ）は同取付手順を示す説明図である。
【発明を実施するための形態】
【００４２】
図１〜図６は本発明の実施の一形態であるディスク装置を示すものであり、これはＤｉ
ｓｃスロットイン機構方式のＢｌｕ−ｒａｙ  Ｄｉｓｃ式のレコーダ（またはプレーヤ）
であって、ロックピン２２、カムピン２８ｂ及び係合ピン４２が、円柱状ピン本体５９と
、該ピン本体５９の基端面に同心状に一体突設したタップタイト６０とを有し、ピン本体
５９の先端面に操作凹部６１が形成されている。上記以外の構成は図７〜図９に示す構成
とほぼ同じであるから、同一部分に同一符号を付してその説明を省略する。
【００４３】
前記タップタイト６０は、図２（ｂ）に示すように、横断面が丸みをおびた三角形に形
成された雄ねじからなり、外周面に３つの角部６０ａを有し、その外径ｒ１がロックレバ
ー２０の支持台４９に貫設した支持孔５０の内径ｒ２よりも若干大きく設定されており（
ｒ１＞ｒ２）、該タップタイト６０の各角部６０ａで支持孔５０の内周面にねじ溝を強制
的に形成して強固にねじ込むことができ、各角部６０ａがねじ溝に引っ掛かることにより
、ねじ込んだタップタイト６０が緩まない。
【００４４】
前記操作凹部６１は、図１（ｂ）及び図２（ａ）に示すように、六角孔形や十字孔形な
どの多角孔形に形成されている。
【００４５】
前記ロックピン２２の取付手順を説明すると、図３（ａ）に示すように、電動ドライバ
ーなどで操作される多角形棒状工具６２をロックピン２２の操作凹部６１に係合させ、図
３（ｂ）に示すように、タップタイト６０を支持台４９の支持孔５０にねじ込む。
【００４６】
上記タップタイト６０をねじ込む際に、ピン本体５９が傾いて、支持孔５０の軸心Ｏａ
からピン本体５３の軸心Ｏがわずかの角度α分ずれた場合には、ねじ込みを解除し、再度
、タップタイト６０のねじ込みを行って、図３（ｃ）に示すように、ピン本体５９の軸心
Ｏが支持台４９に対して垂直状態になるように起立させる。
【００４７】
上記構成によれば、ピン本体５９の操作凹部６１に係合する工具６２を操作してタップ
タイト６０をロックレバー２０の一端の支持孔５０にねじ込むだけで、ロックピン２２を
ロックレバー２０の一端に固着することができると共に、前記工具６２の操作手段として
安価な電動ドライバーを利用でき、高価なカシメ機が不要であり、工程数も少ないから、
コストダウンを図ることができる。
【００４８】
また、ロックピン２２のタップタイト６０をロックレバー２０の支持孔５０にねじ込ん
だときに、該ロックピン２２が傾いた場合には、そのねじ込みを解除し、再度、タップタ
イト６０のねじ込みを行うことにより、その傾きを解消してロックピン２２を所定通りに
起立させることができ、そのロックピン２２及びロックレバー２０を従来のように廃棄す
ることなく再使用することができ、この点でもコストダウンを図ることができる。
【００４９】
更に、図２（ａ）に示すように、ロックピン２２に従来の鍔部５５（図１１参照）に相
当するものが無いから、ロックレバー２０の一端が下がっても（間隔ｍ）、従来のように
鍔部５５が障害物となってロックピン２２をロック溝１７ａ，１７ｂに嵌入させることが
できなくなる事態を生じさせることがなく、そのロックピン２２をロック溝１７ａ，１７
ｂに確実に嵌入させて、連結レバー１４をロックすることができる。
【００５０】
図１及び図４に示すカムピン２８ｂについても、図３に示す取付手順に基づいて、タッ
プタイト６０を支持孔５０にねじ込むことにより、可動枠８の側板８ａに固着される。
【００５１】
上記構成によれば、カムピン２８ｂの取付用工具６２の操作手段として安価な電動ドラ
イバーを利用でき、高価なカシメ機が不要であり、工程数も少ないから、コストダウンを
図ることができと共に、カムピン２８ｂ及び可動枠８を従来のように廃棄することなく再
使用することができ、この点でもコストダウンを図ることができる。
【００５２】
図４に示すように、カムピン２８ｂに従来の鍔部５５（図１２参照）に相当するものが
無いから、可動枠８とスライドカム２７との間の間隔ｈを従来に比べて小さくして、ディ
スク装置の小型化の要請に応じることができる。
【００５３】
図５及び図６に示す係合ピン４２についても、図３に示す取付手順に基づいて、タップ
タイト６０を支持孔５０にねじ込むことにより、揺動フラップ３５の側板３５ｂに固着さ
れる。
【００５４】
上記構成によれば、係合ピン４２の取付用工具６２の操作手段として安価な電動ドライ
バーを利用でき、高価なカシメ機が不要であり、工程数も少ないから、コストダウンを図
ることができると共に、係合ピン４２と揺動フラップ３５を従来のように廃棄することな
く再使用することができ、この点でもコストダウンを図ることができる。
【００５５】
図６に示すように、係合ピン４２に従来の鍔部５５（図１４参照）に相当するものが無
いから、ガイドローラ３７の両端を支持する軸受５６から延びる回り止めアーム５６ａの
先端フック部５６ｂを揺動フラップ３５の側板３５ｂのフック孔５７に嵌入させる際に、
その嵌入作業を容易に行うことができる。
【符号の説明】
【００５６】
１              ローダーシャーシ
３              ターンテーブル
６              光ピックアップ
８              可動枠
９              クランパ
１２            スライド枠
１２ａ          スライド枠のディスク位置決め片
１４            連結レバー
１７            ロック孔
１７ａ，１７ｂ  ロック孔のロック溝
２０            ロックレバー
２２            ロックピン
２８            カム機構
２８ａ          カム溝
２８ｂ          カムピン
３５            揺動フラップ
３７            ガイドローラ
４２            係合ピン
５５            鍔部
５６            軸受
５６ａ          回り止めアーム
５６ｂ          先端フック部
５７            フック孔
５９            ピン本体
６０            タップタイト
６１            操作凹部
Ｄａ，Ｄｂ      ディスク
Ａ              前段位置
Ｂ              後段位置
ａ              スロットイン
ｂ              スロットアウト
【図１】
2012221530.tif 000003
【図２】
2012221530.tif 000004
【図３】
2012221530.tif 000005
【図４】
2012221530.tif 000006
【図５】
2012221530.tif 000007
【図６】
2012221530.tif 000008
【図７】
2012221530.tif 000009
【図８】
2012221530.tif 000010
【図９】
2012221530.tif 000011
【図１０】
2012221530.tif 000012
【図１１】
2012221530.tif 000013
【図１２】
2012221530.tif 000014
【図１３】
2012221530.tif 000015
【図１４】
2012221530.tif 000016
【図１５】
2012221530.tif 000017